(57)【要約】【課題】衝撃吸収力が高く保水機能を有する高分子シートを用い、日照等による高分子シートの熱膨張を抑止すると共に、粒状充填材を大幅に減量することができ、より土に近い弾力を有し、保水機能を有する人工芝用下敷クッションマットを提供する。【解決手段】透水性を有する弾性体シートと、繊維素材で構成された繊維材シートとが積層された人工芝用下敷クッションマットであり、弾性体シートがウレタンチップフォーム、ウレタンチップ、ゴムチップ、発泡ゴムチップ又はそれ等の混合体のいずれか一であり、繊維材シートが不織布又はフェルトであることを特徴とする人工芝用下敷クッションマットである。【選択図】図１
2011058287.tif 000002
【特許請求の範囲】
【請求項１】
透水性を有する弾性体シートと、繊維素材で構成された繊維材シートとが積層されたことを特徴とする人工芝用下敷クッションマット。
【請求項２】
繊維素材で構成された繊維材シートと、透水性を有する弾性体シートと、繊維素材で構成された繊維材シートとを順に積層したことを特徴とする請求項１記載の人工芝用下敷クッションマット。
【請求項３】
前記透水性を有する弾性体シートが、ウレタンチップフォーム、ウレタンチップ、ゴムチップ、発泡ゴムチップ又はそれ等の混合体のいずれか一であることを特徴とする請求項１又は２に記載された人工芝用下敷クッションマット。
【請求項４】
前記繊維素材で構成された繊維材シートが、不織布又はフェルトであることを特徴とする請求項１乃至３のいずれか一に記載された人工芝用下敷クッションマット。
【請求項５】
前記繊維素材で構成された繊維材シートが、ポリエステル繊維等の高分子ポリマー繊維を材料として用いたものであることを特徴とする請求項４記載の人工芝用下敷クッションマット。
【請求項６】
前記人工芝用下敷クッションマットがジョイント式形状を有することを特徴とする請求項１乃至５のいずれか一に記載された人工芝用下敷クッションマット。
【請求項７】
前記人工芝用下敷クッションマットが有孔加工したものであることを特徴とする請求項１乃至６のいずれか一に記載された人工芝用下敷クッションマットである。
【請求項８】
基礎地盤上に上記請求項１乃至７のいずれか一に記載された人工芝用下敷クッションマットを敷設した上に、人工芝材を植設した表層シートが敷設されたことを特徴とする人工芝敷設構造。
【発明の詳細な説明】
【技術分野】
【０００１】
本発明は、人工芝と基礎地盤との間に敷設される人工芝用透水型に関し、特に野球場、サッカー場等の競技場、運動場又は屋上緑地帯等の造成に適した人工芝用透水型に関する。
【背景技術】
【０００２】
近年、競技場や緑地帯などを施工するに際して、導入コスト、維持コストが安価である等の利点を有することから、天然芝の代わりに人工芝が採用されている。人工芝とは、面状のシートにパイルが多数植設されたものを指し、弾性を求めるため目砂やゴムチップ等の粒状充填材が充填されている（特許文献１、２等）。
このような人工芝が配置された領域では、特に夏場の日照等による温度上昇が厳しく、いわゆるヒートアイランド現象を助長することが知られていた。
【０００３】
そのため従来より、このような状況を解決するために、保水機能を有する人工芝の敷設構造が開発されていた（特許文献３、特許文献４、特許文献５等）。
かかる従来技術は、人工芝材の植設された表層シートとコンクリート等の基礎地盤間に、合成樹脂材等による保水機能を有する中間層を敷設することによって温度上昇を抑制するものである。
【０００４】
しかし、これらの技術はいずれも弾性を求めるための目砂やゴムチップ等の粒状充填材を必須とするものである。ここでゴムチップとしては、化成品ゴムや廃タイヤを粉砕したものが用いられている。これらの粒状充填材が、人工芝の面状シートにおける穴を透過して透水アスコン層（基礎地盤）に達した場合、透水アスコン層に入り込み、目詰まりを起こすという問題があった。
また、従来は人工芝を敷設した後は、透水アスコン層上に敷設された中間層を形成するシートを残して表面層の人工芝のみを取り替えることについての創作はなかった。
【先行技術文献】
【特許文献】
【０００５】
【特許文献１】特開平１０−１５２８０９号公報
【特許文献２】特開２００１−４０６０８号公報
【特許文献３】特開平７−１２７０１１号公報
【特許文献４】特開２００３−１２９４０８号公報
【特許文献５】特開２００８−２６６９４９号公報
【発明の概要】
【発明が解決しようとする課題】
【０００６】
本発明は、衝撃吸収力が高く保水機能を有する高分子シートを用いることによって人工芝用下敷クッションマットを提供することを目的とする。
また低反発性素材のシートと高反発弾性のシートとを積層することによって日照等による高分子シートの熱膨張やそりを抑止し、目砂やゴムチップ充填材の流入を防ぐフィルター効果を付与し、粒状充填材を不要とするか従来より大幅に減量することができ、より土に近い弾力を有する人工芝用下敷クッションマットを提供することを目的とする。
さらに人工芝の改修の際に、表面の人工芝のみ取り替えることによって改修施工を大幅に省力化する人工芝用下敷クッションマットを提供することを目的とする。
【課題を解決するための手段】
【０００７】
本発明者は、上記課題を解決するために以下の構成を採用した。
（１）本発明は、透水性を有する弾性体シートと、繊維素材で構成された繊維材シートとが積層されたことを特徴とする人工芝用下敷クッションマットである。
（２）繊維素材で構成された繊維材シートと、透水性を有する弾性体シートと、繊維素材で構成された繊維材シートとを順に積層したことを特徴とする上記（１）項記載の人工芝用下敷クッションマットである。
【０００８】
（３）前記透水性を有する弾性体シートが、ウレタンチップフォーム、ウレタンチップ、ゴムチップ、発泡ゴムチップ又はそれ等の混合体のいずれか一であることを特徴とする上記（１）又は（２）に記載された人工芝用下敷クッションマットである。
（４）前記繊維素材で構成された繊維材シートが、不織布又はフェルトであることを特徴とする上記（１）乃至（３）項のいずれか一に記載された人工芝用下敷クッションマットである。
（５）前記繊維素材で構成された繊維材シートが、ポリエステル繊維等の高分子ポリマー繊維を材料として用いたものであることを特徴とする上記（４）項記載の人工芝用下敷クッションマットである。
【０００９】
（６）前記人工芝用下敷クッションマットがジョイント式形状を有することを特徴とする上記（１）乃至（５）項のいずれか一に記載された人工芝用下敷クッションマットである。
（７）前記人工芝用下敷クッションマットが有孔加工したものであることを特徴とする上記（１）乃至（６）項のいずれか一に記載された人工芝用下敷クッションマットである。
（８）基礎地盤上に上記（１）乃至（７）項のいずれか一に記載された人工芝用下敷クッションマットを敷設した上に、人工芝材を植設した表層シートが敷設されたことを特徴とする人工芝敷設構造である。
【発明の効果】
【００１０】
衝撃吸収力が高く保水機能を有する高分子シートを用いた人工芝用下敷クッションマットを提供するという効果を奏する。
また繊維材シートで弾性体シートを挟持することによって日照等による弾性体シートの熱膨張やそりを抑止すると共に、粒状充填材を不要とするか従来より大幅に減量することができ、より土に近い弾力を有する人工芝用下敷クッションマットを提供するという効果を奏する。
さらに人工芝の改修の際に、表面の人工芝のみ取り替えることによって改修施工を大幅に省力化する人工芝用下敷クッションマットを提供するという効果を奏する。
【図面の簡単な説明】
【００１１】
【図１】本発明に係る人工芝敷設構造の一実施形態を示す一部透過斜視図である。
【図２】本発明に係る人工芝用下敷クッションマットの実施形態の例示を示す断面図である。
【図３】ジョイント式形状による人工芝用下敷クッションマットに係る実施形態の一例を示す平面図である。
【図４】人工芝材を植設した表層シートと人工芝用下敷クッションマットとを積層した実施形態の一例を示す断面図である。
【発明を実施するための形態】
【００１２】
本発明に係る実施形態の一例を以下に詳述する。
本発明に係る人工芝用下敷クッションマットは、透水性を有する弾性体シートと、繊維素材で構成された繊維材シートとが積層されている構造を有している。
【００１３】
透水性を有する弾性体シートと繊維素材で構成された繊維材シートとを積層する方法としては、基礎地盤を下側、人工芝材を植設した表層シートを上側とした場合、上側から繊維素材で構成された繊維材シート、透水性を有する弾性体シート、繊維素材で構成された繊維材シートを順に積層する構造が挙げられる。
さらに上側から、繊維素材で構成された繊維材シート、透水性を有する弾性体シート、繊維素材で構成された繊維材シート、透水性を有する弾性体シート、繊維素材で構成された繊維材シートを順に積層する構造が挙げられる。
【００１４】
繊維素材で構成された繊維材シートと、透水性を有する弾性体シートとを有し、それらのシートが密接した状態で積層されていれば、他の構造を採用しても良い。
このような構造を採用することによって、低反発の繊維材と高反発弾性体シートの多重積層によって、土に近いクッション性を得ることができた。そのため、従来の人工芝において、パイル間に弾性を求めるため目砂やゴムチップといった粒状充填材が充填されていたが、これらの粒状充填材が不要になるか、少なくとも従来に比べて大幅に使用量を抑制することができる。
【００１５】
そして、低反発の繊維材シートと高反発の弾性体シートとを積層することによって、全体的なクッション性、衝撃緩和性、吸水性及び保水性を大幅に向上させることができる。
また前記透水性を有する弾性体シートとしては、ウレタンチップフォーム、ウレタンチップ、ゴムチップ、発泡ゴムチップ又はそれ等の混合材等が好適である。
【００１６】
弾性体シートの厚みは目的・用途によって調整されるが、一般的な競技場用として使用するのであれば、３ｍｍ〜３０ｍｍが好適である。３ｍｍ未満では十分な弾性が得られず、３０ｍｍを超えると施工が煩雑等の不具合が生じるからである。
上記材料によって形成された弾性シートは透水性を有しているが、このような機能は弾性シートに多数形成された貫通孔や内部の気泡空間によって生じる。これらの機能は、弾性フォームを形成した後、ニードルパンチ等によって穿孔処理を施しても良いし、単体又は重合体として発泡させ、その内部に多数形成される気泡同士を連続的に連通させて形成しても良い。
このように透水性を有する弾性体シートを使用することによって、人工芝に雨水が溜まらず、全天候型としていつでもグランド等の使用が可能となる。
【００１７】
次に繊維素材で構成された繊維材シートとしては不織布やフェルトを用いるのが好ましい。材料としては、ポリエステル繊維等の高分子ポリマー繊維が好ましい。
このような材料を、乾式法、湿式法、スパンボンド法、メルトブロー法等のフリース形成法、サーマルボンド法、ケミカルボンド法、スパンレース法、ニードルパンチ法、ステッチボンド法、スチームジェット法等のフリース結合法等によってシート状に形成する。
【００１８】
繊維材シートの厚みは目的・用途によって調整されるが、一般的な競技場用として使用するのであれば、１ｍｍ〜１０ｍｍが好適である。このような厚みすることによって、十分な弾発力と水分貯留量が得られ、切断等において施工が容易だからである。
【００１９】
このような構造を採用することによって、散水や降雨によって人工芝に降り注いだ水分が、表層シートを透過し、不織布、弾性体シートの貫通孔や気泡空間、不織布又はフェルトそれぞれの内部に貯留させることができる。
そして、日照等により人工芝表面の温度が上昇すると、繊維材シート及び弾性体シートに貯留されている水分が表面人工芝孔を通って大気中に蒸発していくことになる。その際に気化熱を奪うことによってグラウンド上の温度上昇を抑制することができる。
また繊維の密度や弾性体シートの密度を変えることにより水分貯留量を調整することが可能である。
【００２０】
さらに前記人工芝用下敷クッションマットをジョイント式形状に形成するのが好ましい。このような構造にすることによって、敷詰、配置をジョイント部分を嵌合するだけで高度な技量を要さずに迅速・容易に行うことができる。
また人工芝用下敷クッションマットに穴あけ加工を施し、その穴からシリコンシーリング接着剤等を流入させることにより簡単に、かつ迅速に接着作業を行うことができる。
さらに上記の人工芝用下敷クッションマットを敷設した上に、人工芝材を植設した表層シートを敷設し、人工芝敷設構造を簡単に構築することができる。そして人工芝が経時劣化した際には、表面の人工芝のみ取り替えることによって改修施工を大幅に省力化することができる。
【実施例】
【００２１】
次に本発明の人工芝用下敷クッションマット及び人工芝敷設構造に係る実施例を図面に則して説明する。
実施例１
図１は本発明の人工芝敷設構造に係る一実施例を示す部分透視斜視図である。
図１に示す如く、本実施例に係る人工芝敷設構造１０は、表面に人工芝材を植設した表層シート１を敷設し、繊維素材で構成された繊維材シート２、透水性を有する弾性体シート３、繊維素材で構成された繊維材シート２が順に積層されている。サイズは、２５ｍ／ｍ×１０３０ｍｍ×１０３０ｍｍ、重量は約５．０ｋｇである。
【００２２】
透水性を有する弾性体シート３は、ウレタンチップフォーム、ウレタンチップ、ゴムチップ、発泡ゴムチップ又はそれ等の混合材によって形成されている。また透水性を有する弾性体シート３には、貫通孔が多数形成されている。貫通孔は平面視直径５ｍｍの円筒状に穿孔されており、多量の水分を透過させることができる。弾性体シート３の厚さは約１５ｍｍである。
【００２３】
繊維素材で構成された繊維材シート２は、ポリエステル繊維のフェルトが使用されている。また繊維材シート２の厚さは約５ｍｍであり、目付６００ｇ／ｍ2である。前記弾性体シート３とは接着剤によって密着している。
このように、反発弾性の透水性を有する弾性体シート３を低反発の繊維素材で構成された繊維材シート２で挟持することにより、全体的なクッション性、衝撃緩和性、吸水性及び保水性が大幅に向上している。
【００２４】
かかる人工芝敷設構造によりグラウンドを形成すれば、衝撃吸収力が高いことから足腰への負担が少なく、透水構造により雨水を溜めずいつでも全天候型のグラウンドを提供でき、多重保水層に含まれる水の気化熱により人工芝を低温に保つことができ、さらには人工芝が経時劣化した際には、表面の人工芝のみ取り替えることによって改修施工を大幅に省力化することができる。
【００２５】
実施例２
図２は本発明の人工芝用下敷クッションマットに係る実施例を示す断面図である。図１におけるII−II矢視断面であって、説明の都合上、人工芝材を植設した表層シートは省略する。
図２に示す如く、本実施例に係る人工芝用下敷クッションマット３０は、上側から繊維素材で構成された繊維材シート３３、中間層に透水性を有する弾性体シート３２と、繊維素材で構成された繊維材シート３３が順に積層されている。
【００２６】
積層一体品には、貫通孔３４が多数形成されており、多量の水分を透過させることができる。
また繊維素材で構成された繊維材シート３３は、前記弾性体シート３２と接着剤によって密着している。
【００２７】
このように、反発弾性の透水性を有する弾性体シート３２と低反発の繊維素材で構成された繊維材シート３３とを積層することにより、全体的なクッション性、衝撃緩和性、吸水性及び保水性を大幅に向上することができる。
【００２８】
従って、実施例３に係る人工芝敷設構造によりグラウンドを形成すれば、衝撃吸収力が高いことから足腰への負担が少なく、透水構造により雨水を溜めずいつでも全天候型のグラウンドを提供でき、多重保水層を含む水の気化熱により人工芝を低温に保つことができる。また、繊維材シート３３によって目砂、ゴムチップ等充填材の流入を防ぎ排水性の悪化を防止できる。さらには人工芝が経時劣化した際には、表面の人工芝のみ取り替えることによって改修施工を大幅に省力化することができる。  
【００２９】
実施例３
図３は、ジョイント式形状による人工芝用下敷クッションマットに係る実施形態の一例を示す平面図である。
本実施形態の人工芝用下敷クッションマット４０は、図１に示した人工芝敷設構造を有している。すなわち表面には人工芝材を植設した表層シートを敷設し、繊維素材で構成された繊維材シート、透水性を有する弾性体シート、繊維素材で構成された繊維材シートが順に積層されている。サイズは、２５ｍ／ｍ×１０３０ｍｍ×１０３０ｍｍ、重量は約４．０ｋｇである。
【００３０】
本実施形態に係る人工芝用下敷クッションマットは、側面に嵌合突起４１と凹部４２とが交互に図のように形成されている。すなわち、本実施形態に係る人工芝用下敷クッションマットを複数敷設配置した際に、右側面の嵌合突起４１は、隣接するクッションマットの左側面の凹部４２に嵌合するため、ジョイント部分を嵌合させるだけで、特別な技量なしに簡単迅速に人工芝によるグラウンド等を施工することができる。
【００３１】
符号４３は、貫通孔（φ１０ｍｍ）であり、人工芝用下敷クッションマットを透水アスコン層（基礎地盤）に固定する機構である。すなわち、下敷クッションマットを仮設置し位置を確認後、貫通孔４３上部よりシリコンシーリング系接着剤を流入、固定するものである。かかる機構を有することによって、工期を大幅に短縮することができる。
また本実施態様に係る人工芝用下敷クッションマット４０には、貫通孔４３より径の小さな透水のための貫通孔が多数形成されている。
【００３２】
実施例４
図４は本発明の人工芝敷設構造に係る他の実施例を示す断面図である。
図４に示す如く、本実施例に係る人工芝敷設構造５０は、表面に人工芝材を植設した表層シート５１を敷設し、上側から順に、繊維素材で構成された繊維材シート５３、透水性を有する弾性体シート５２と、繊維素材で構成された繊維材シート５３が積層されている。
【００３３】
人工芝材を植設した表面シート５１には、多数のターフ５５が基材シートに植設されている。本実施例においては、必ずしも必要なものではないが、弾性を求めるためゴムチップ等の粒状充填材を充填しても良い。
【００３４】
透水性を有する弾性体シート５２は、ウレタンチップフォーム、ウレタンチップ、ゴムチップ、発泡ゴムチップ又はそれ等の混合体によって形成されている。積層された人工芝用下敷クッションマットには、貫通孔５４（φ５ｍｍ）が多数形成されており、多量の水分を透過させることができる。弾性体シート５２の厚さは約１５ｍｍである。
【００３５】
繊維素材で構成された繊維材シート５３は、ポリエステル繊維のフェルト材が使用されている。前記弾性体シート５２とは接着剤によって密着している。
このように、反発弾性の透水性を有する弾性体シート５２と低反発の繊維素材で構成された繊維材シート５３とを積層することにより、全体的なクッション性、衝撃緩和性、吸水性及び保水性が大幅に向上している。
【００３６】
かかる人工芝敷設構造によりグラウンドを形成すれば、衝撃吸収力が高いことから足腰への負担が少なく、透水構造により雨水を溜めずいつでも全天候型のグラウンドを提供でき、多重保水層に含まれる水の気化熱により人工芝を低温に保つことができ、さらには人工芝が経時劣化した際には、表面の人工芝のみ取り替えることによって改修施工を大幅に省力化することができる。
【産業上の利用可能性】
【００３７】
本発明は、人工芝と基礎地盤との間に敷設される人工芝用下敷クッションマットに使用可能である。特に野球場、サッカー場、テニスコート、ゲートボール等に用いられる競技場、運動場又は屋上緑地帯等の造成に適した人工芝用下敷クッションマットに使用可能のである。
【符号の説明】
【００３８】
１    人工芝材を植設した表層シート
２，３２，５２  透水性を有する弾性体シート
３，３３，５３  繊維素材で構成された繊維材シート
４，３４，５４  貫通孔
１０  人工芝敷設構造
３０，４０，５０  人工芝用下敷クッションマット
【図１】
2011058287.tif 000003
【図２】
2011058287.tif 000004
【図３】
2011058287.tif 000005
【図４】
2011058287.tif 000006